(57)【要約】【課題】遊技機設置に係る手間が煩雑になることを防止しつつ、遊技者がメダル受皿からメダル貯留箱にスムーズにメダルを移すことを可能とする遊技機を提供すること。【解決手段】遊技場に設置された遊技者用の椅子の高さより高い基台上に載置される遊技機であって、筐体の前方に設けられたメダル受皿の下方には、該メダル受皿と上記基台との間にメダル貯留箱を設置可能な設置スペースが確保され、上記メダル受皿の底面には、メダルを通過させ得る開口が形成され、遊技者の操作に応じて上記開口を開閉する開閉手段を備え、上記筐体内の底面より高い位置には、上記メダル受皿へメダルを払い出すためのホッパが設置される設置板が設けられていることを特徴とする遊技機。【選択図】図２
2007089802.tif 000002
【特許請求の範囲】
【請求項１】
遊技場に設置された遊技者用の椅子の高さより高い基台上に載置される遊技機であって、
筐体の前方に設けられたメダル受皿の下方には、該メダル受皿と前記基台との間にメダル貯留箱を設置可能な設置スペースが確保され、前記メダル受皿の底面には、メダルを通過させ得る開口が形成され、遊技者の操作に応じて前記開口を開閉する開閉手段を備え、前記筐体内の底面より高い位置には、前記メダル受皿へメダルを払い出すためのホッパが設置される設置板が設けられていることを特徴とする遊技機。
【請求項２】
前記ホッパは、複数のメダルを収容する収容部と、前記収容部に収容されたメダルを前記メダル受皿へ払い出す払出装置とを備え、
前記設置板は、前記払出装置のメダル出口が前記メダル受皿より高い位置に配置されるように、設けられていることを特徴とする請求項１に記載の遊技機。
【請求項３】
前記筐体内の底面と前記設置板との間には、前記メダル貯留箱を収納可能な収納スペースが設けられていることを特徴とする請求項１又は２に記載の遊技機。
【発明の詳細な説明】
【技術分野】
【０００１】
本発明は、メダルやコイン等が用いられるパチスロ遊技装置、スロットマシン等の遊技機に関する。
【背景技術】
【０００２】
パチスロ遊技装置やスロットマシン等の遊技機では、従来、筐体前面に設置されたメダル受皿にメダルが貯まったときに、メダル受皿から手でメダルを取り出してメダル貯留箱に移す必要があり、煩わしいという問題があった。従来の遊技機としては、例えば、メダル受皿の底面の一部を開閉可能に構成した遊技機が存在する（例えば、特許文献１参照）。
特許文献１に記載の遊技機は、遊技機島を構成する基台（膳板）に、スペーサとしての取付台を介して設置されるので、メダル受皿と基台との間にメダル貯留箱の設置スペースが確保される。従って、遊技者は、その設置スペースにメダル貯留箱を設置し、メダル受皿の底面の一部を開放することによって、メダル受皿からメダル貯留箱にスムーズにメダルを移すことができる。
【０００３】
【特許文献１】特開平１０−２３００６５号公報（第２図）
【発明の開示】
【発明が解決しようとする課題】
【０００４】
しかしながら、特許文献１に記載の遊技機では、遊技機島を構成する基台の上に、取付台を設置し、その取付台の上に遊技機を設置しなければ、メダル貯留箱の設置スペースを確保することができないため、遊技機設置に係る手間が煩雑になるという問題があった。
また、取付台を介して遊技機を設置すると、安定性が損なわれ、遊技機が転倒するおそれもあった。しかし、安定性を確保するために固定具等を用いると、さらに遊技機設置に係る手間が煩わしくなるという問題があった。
【０００５】
本発明は、上述した課題に鑑みてなされたものであり、その目的は、遊技機設置に係る手間が煩雑になることを防止しつつ、遊技者がメダル受皿からメダル貯留箱にスムーズにメダルを移すことを可能とする遊技機を提供することにある。
【課題を解決するための手段】
【０００６】
以上のような目的を達成するために、本発明は、以下のようなものを提供する。
（１）  遊技場に設置された遊技者用の椅子の高さより高い基台上に載置される遊技機であって、
筐体の前方に設けられたメダル受皿の下方には、該メダル受皿と上記基台との間にメダル貯留箱を設置可能な設置スペースが確保され、上記メダル受皿の底面には、メダルを通過させ得る開口が形成され、遊技者の操作に応じて上記開口を開閉する開閉手段を備え、上記筐体内の底面より高い位置には、上記メダル受皿へメダルを払い出すためのホッパが設置される設置板が設けられていることを特徴とする遊技機。
【０００７】
（１）の発明によれば、メダル受皿の下方に、メダルと基台との間にメダル貯留箱を設置可能な設置スペースが確保されていて、メダル受皿の底面には開口が形成され、さらに遊技者の操作に応じて開口を開閉する開閉手段を備えている。従って、遊技者は、設置スペースにメダル貯留箱を設置して、開閉手段を操作することにより、メダル受皿からメダル貯留箱にスムーズにメダルを移すことができる。また、メダル受皿の下方に、メダル受皿と基台との間にメダル貯留値を設置可能な設置スペースが確保されているので、取付台等のスペーサを介して基台に遊技機を設置する必要がなく、基台に直接、遊技機を設置することができる。従って、遊技機設置に係る手間が煩雑になることを防止することができる。
【０００８】
また、筐体内の底面より高い位置に設置板が設けられ、その設置板にホッパが設置されるため、メダル受皿の位置が高くても、ホッパからメダル受皿へスムーズにメダルを払い出することが可能になる。従って、例えば、ホッパから払い出されたメダルを上方へ搬送してからメダル受皿に払い出すための搬送装置等を筐体内に設置する必要もない。
【０００９】
さらに、本発明は、以下のようなものを提供する。
（２）  上記（１）の遊技機であって、
上記ホッパは、複数のメダルを収容する収容部と、上記収容部に収容されたメダルを上記メダル受皿へ払い出す払出装置とを備え、
上記設置板は、上記払出装置のメダル出口が上記メダル受皿より高い位置に配置されるように、設けられていることを特徴とする。
【００１０】
（２）の発明によれば、払出装置のメダル出口がメダル受皿より高い位置に配置されるように、設置板が設けられているため、ホッパからメダル受皿への重力に従ったスムーズなメダルの払い出しを実現することが可能になる。
【００１１】
さらに、本発明は、以下のようなものを提供する。
（３）  上記（１）又は（２）の遊技機であって、
上記筐体内の底面と上記設置板との間には、上記メダル貯留箱を収納可能な収納スペースが設けられていることを特徴とする。
【００１２】
（３）の発明によれば、筐体内底面と設置板との間に設けられた収納スペースに、メダル貯留箱を収納しておくことができるため、収納スペースからメダル貯留箱を手前に出すことにより速やかに設置スペースにメダル貯留箱を設置することが可能となり、利便性に優れる。
【発明の効果】
【００１３】
本発明によれば、遊技機設置に係る手間が煩雑になることを防止しつつ、遊技者がメダル受皿からメダル貯留箱にスムーズにメダルを移すことが可能となる。
【発明を実施するための最良の形態】
【００１４】
本発明の実施形態について図面に基づいて説明する。以下においては、本発明の好適な実施形態として、本発明をパチスロ遊技装置に適用した場合について説明することとする。
図１は、パチスロ遊技装置の一例を模式的に示す斜視図である。
このパチスロ遊技装置１は、メダルを用いるものである。ただし、本発明におけるメダルは、コインやトークン等、メダルと同様に用いるものを含む概念である。
【００１５】
パチスロ遊技装置１の全体を形成している筐体１０は、前面に開口１０ａ（図示せず）を有していて、さらに筐体１０には、その開口を覆うように筐体１０に開閉可能に支持された扉体２が設けられている。扉体２の正面中央には、液晶表示装置５が設置されている。
【００１６】
液晶表示装置５の上側には、透明な表示窓２３が設けられていて、表示窓２３の背後が視認可能となっている。表示窓２３の背後には、３個の回転リール３Ｌ、３Ｃ、３Ｒが設けられている。３個の回転リール３Ｌ、３Ｃ、３Ｒは、夫々その外周面に複数の図柄等の識別情報が表示されており、回転可能に横一列に設けられている。各回転リール３Ｌ、３Ｃ、３Ｒの識別情報は、表示窓２３を介して前方より視認可能である。
表示窓２３の左右両側には、スピーカ２１Ｌ、２１Ｒが設置されている。
【００１７】
液晶表示装置５の右横には、メダル投入口２２が設けられている。また、液晶表示装置５の下方には、水平面を有する台座部１２が形成されており、台座部１２の左側には、１−ＢＥＴスイッチ１１及び最大ＢＥＴスイッチ１３が設けられている。台座部１２の前面左側には、遊技者の操作により回転リール３Ｌ、３Ｃ、３Ｒを回転させるためのスタートレバー６が所定の角度範囲で回動自在に取り付けられている。台座部１２の前面部中央には、３個の回転リール３Ｌ、３Ｒ、３Ｃの回転をそれぞれ停止させるための３個の停止ボタン７Ｌ、７Ｃ、７Ｒが設けられている。
【００１８】
台座部１２の下側には、キャラクタ等が描かれた腰部パネル２４が設けられ、腰部パネル２４の下側には、メダル払出口１５が設けられている。メダル払出口１５の下方であり且つ筐体１０の前方にはメダル受皿３０が設けられている。
【００１９】
メダル受皿３０の底面３３には、開口３１が形成され、開口３１には、操作片３２を一体的に備えた開閉板３４が設けられている。なお、操作片３２は、メダル受皿３０の前面の所定箇所に位置している。開閉板３４は、左右方向（図中、太線により示す矢印方向）に往復自在に設けられていて、操作片３２が操作されることにより、開閉板３４は右方向又は左方向に移動する。開閉板３４が左方向に移動すると開口３１は閉状態となり、開閉板３４が右方向に移動すると開口３１は開状態となる。開閉板３４及び操作片３２は、遊技者の操作に応じて開口３１を開閉する開閉手段として機能するものである。なお、本発明において、開閉手段としては、遊技者の操作に応じて開口を開閉するものであれば、特に限定されるものではなく、従来公知の手段を採用することができる。
【００２０】
メダル受皿３０の下側には、下部扉３５が設けられている。下部扉３５は、下辺を軸として開閉可能である。下部扉３５には、施錠装置が設けられていてもよい。また、下部扉３５の左側には、灰皿２５が設けられている。
【００２１】
メダル受皿３０の下側であり且つ下部扉３５の前面には、メダル貯留箱５０を設置可能な設置スペース３８が確保されている。従って、遊技者は、設置スペース３８にメダル貯留箱５０を設置するとともに、操作片３２を操作して開閉板３４を右方向に移動させ、開口３１を開状態とすることにより、メダル受皿３０からメダル貯留箱５０にスムーズにメダルを移すことができる。
【００２２】
図２は、図１に示したパチスロ遊技装置が基台に設置された様子を模式的に示す正面図である。
基台９０は、天板９１と保護板９２とを備えている。この天板９１の直上にパチスロ遊技装置１が設置されている。保護板９２の前方には、椅子９４が設置されている。椅子９４は、所謂パチンコホール等の遊技場（図示せず）に設置されるものである。図２に示すように、基台９０の高さＨは、椅子９４の高さｈより高い。なお、本発明において、基台の高さとは、遊技機が設置される天板の上面の高さをいい、椅子の高さとは、該椅子の着座部上面の高さをいう。パチスロ遊技装置１を基台９０に載置すると、メダル受皿３０と基台９０（天板９１）との間に、設置スペース３８が確保される。
【００２３】
図３は、図１に示したパチスロ遊技装置の扉体を開いた状態を模式的に示す正面図である。
筐体１０は、前面に開口１０ａを有し、筐体１０には、ヒンジ（図示せず）を介して扉体２が開閉可能に設けられている。筐体１０内の上側には、３つの回転リール３（３Ｌ、３Ｃ、３Ｒ）が設置されていて、扉体２における回転リール３との対応箇所には、表示窓２３が形成されている。表示窓２３の下側には、液晶表示装置５が設けられている。回転リール３の下側には、制御基板７０が設けられている。
【００２４】
液晶表示装置５の近傍には、メダル投入口２２から投入されたメダルを検出するメダル検出器６０が設けられ、メダル検出器６０にはシュート６１が接続されている。
また、メダル検出器６０には、下方に延びるキャンセルシュート６２が接続されていて、キャンセルシュート６２の下部は、メダル払出口１５と接続されている。さらに、キャンセルシュート６２には、メダル通過孔６３が形成されている。
【００２５】
メダル検出器６０は、メダル投入口２２から投入されたものを検出したとき、それが正規のメダルである場合には、メダルをシュート６１へ振り分ける。シュート６１に振り分けられたメダルは、ホッパ５０の収容部５１に入る。
一方、正規のメダルではない異物（例えば、他店のメダルやゴミ）であった場合には、キャンセルシュート６２に振り分ける。キャンセルシュート６２に振り分けられた異物は、メダル払出口１５から機外へ排出される。
【００２６】
筐体１０内には、筐体１０内の底面１０ｂより高い位置に、設置板５４が設けられ、設置板５４上には、ホッパ５０が設置されている。ホッパ５０は、複数のメダルを収容する収容部５１と、収容部５１に収容されたメダルをメダル出口５３からメダル受皿３０へ払い出す払出装置５２とを備えている。払出装置５２のメダル出口５３は、メダル受皿３０より高い位置に配置されていて、メダル出口５３から払い出されたメダルは、メダル通過孔６３を介してキャンセルシュート６２内に入り、メダル払出口１５からメダル受皿３０へ払い出される。
【００２７】
パチスロ遊技装置１においては、払出装置５２のメダル出口５３がメダル受皿３０より高い位置に配置されるように、設置板５４が設けられているため、ホッパ５０からメダル受皿３０への重力に従ったスムーズなメダルの払い出しを実現することが可能になる。
【００２８】
また、筐体１０内の底面１０ｂは設置板５４との間には、メダル貯留箱５０を収納可能な収納スペース３９が設けられている。収納スペース３９に予めメダル貯留箱５０を収納しておけば、メダル貯留箱５０が必要になったときに、遊技者は、収納スペース３９からメダル貯留箱を手前に出すことにより速やかに設置スペース３８にメダル貯留箱５０を設置することが可能となり、利便性に優れる。なお、設置スペース３９には、メダル貯留箱５０以外に、例えば、遊技者の所持品等を収納することとしてもよい。このようにする場合、下部扉３５は、所謂コインロッカーのように施錠可能であることが望ましい。所持品等を収納したまま、煙草や飲物の購入やトイレ等のために席を離れることが可能になるため、利便性に優れるからである。
【００２９】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００３０】
【図１】本発明に係るパチスロ遊技装置を模式的に示す斜視図である。
【図２】図１に示したパチスロ遊技装置が基台に設置された様子を模式的に示す正面図である。
【図３】図１に示したパチスロ遊技装置の扉体を開いた状態を模式的に示す正面図である。
【符号の説明】
【００３１】
１  パチスロ遊技装置
２  扉体
３（３Ｌ、３Ｃ、３Ｒ）  回転リール
１０  筐体
１０ａ  （筐体の）開口
１０ｂ  （筐体内の）底面
１５  メダル払出口
２１（２１Ｌ、２１Ｒ）  スピーカ
２２  メダル投入口
２３  表示窓
２４  腰部パネル
３０  メダル受皿
３２  操作片
３４  開閉板
３５  下部扉
３８  設置スペース
３９  収納スペース
５０  ホッパ
５１  収容部
５２  払出装置
５３  メダル出口
５４  設置板
【図１】
2007089802.tif 000003
【図２】
2007089802.tif 000004
【図３】
2007089802.tif 000005